(57)【要約】【課題】類焼など火災が拡がらないようにする事【解決手段】扉、シャッタ、窓、換気口などの隙間を熱で膨張材を設けることにより、隙間を遮断し類焼を防止するようにした。【選択図】図３
2019206911.tif 000002
【特許請求の範囲】
【請求項１】
扉シャッタ、よろい戸、窓、換気口等の隙間に熱膨張材をはり、火災時の熱で前記熱膨張材が膨張し、すきまを埋める事により類焼防止、防ガスなど防災できることを特徴とする防火装置。
【発明の詳細な説明】
【技術分野】
【０００１】
本発明は防火扉、換気口、シャッタに関する。
【背景技術】
【０００２】
火災発生時の類焼を防止するために防火扉が設置される。この防火扉は、閉状態においても、扉の内外の圧力差を均一にすべく、わずかに通気口が設けられている場合が多い。扉の内外に圧力差があると、扉を開き閉めしにくいという問題があるからである。しかし火災時にこの隙間から火が入る。又、換気口やシャッタの隙間から火が類焼する。
【発明の概要】
【発明が解決しようとする課題】
【０００３】
前述したように、防火扉では扉と壁の間にはわずかな隙間がある。これにより、隙間の内外差を無くし、扉の回転をスムーズになるようにしている。しかしながら、この隙間のある状態で火災が発生すると、前記隙間から火炎等が通路側に漏れ、類焼発生の原因となる。又同様にシャッタの移動用隙間から、換気口から火が出て類焼する。
本発明はこのような課題に鑑みてなされたものであり、火災等発生時において、類焼を確実に防止することができる防火扉、シャッタ、換気口を提供することを目的としている。
【課題を解決するための手段】
【０００４】
前記した課題を解決する本発明は、扉、シャッターの隙間や換気口が火災の熱で膨張密閉することにより、防火、防ガス、類焼を防ぐ。
【発明の効果】
【０００５】
本発明によれば、防火扉と扉枠との間に隙間を設けて、内外気圧差が発生しないようにし、火災等発生時には前記扉と扉枠との間を前記扉のエッジ又は扉枠が熱膨張して瞬時に密封出来、シャッタの場合はスライド空間と接地面を密封し、換気口の場合は口をふさぎ、隣家への類焼を防止し公知の機械式開閉に比し、ローコストで軽く、小型化出来、建築のコストダウンと省スペースの上、動作が機械式より確実で瞬時に働く。ローコストで軽量で類焼を防止することができる防火上重要な発明である。
【図面の簡単な説明】
【０００６】
【図１】公知の防火扉の構成例を示す横断面図
【図２】本発明の実施例１を示す正面図
【図３】本発明熱膨張炭化テープの構成断面を示す図
【図４】本発明の実施例１の横断面図
【図５】本発明の実施例２を示す横断面図
【図６】本発明の実施例３を示す正面図
【図７】本発明の実施例４の横断面図
【図８】本発明の実施例５を示す本発明膨張両面接着剤付テープ構成断面図
【図９】本発明の実施例６を示すよろい戸の正面図
【図１０】本発明の実施例７と８を示すガラス窓の断面図
【図１１】本発明の実施例９を示す換気口の正面図
【図１２】本発明の実施例１０を示す横引きシャッターの正面図
【発明を実施するための形態】
【０００７】
図１は公知の防火扉の例を示す図である。２は防火扉であり、扉枠４との間には隙間Ａ，Ｂがあり、この隙間から火災時空気、ガス、火炎が５，６に示すように漏れ出す。通常状態では、この隙間からは空気のみが漏れ出している。従って、扉１と通路側の空気圧は略等しいものとなり、扉１の開け閉めはスムーズに行うことができる。
ここで、火災が発生すると前記隙間Ａ，Ｂから火炎５，６が吹き出し、防火扉１があっても防火機能を発揮しない。
【０００８】
図２は本発明の実施例１を示す図である。図において、２は扉（防火扉）である。該扉２としては、堅ろう性の面から例えば鉄が用いられる。具体的には、鉄の表面にペンキ等で塗装したものが用いられる。３は扉２を回転させるためのヒンジで上下一対設けられている。
【０００９】
１は熱で膨張する熱膨張部である。この熱膨張部１は、火炎等により熱せられると膨張する。図３は本発明耐熱膨張テープの断面を示す。１は発泡体で熱が加わると膨張する膨張剤が入っている。１１は耐熱剤感圧性接着剤。１２はリリースライナである。使用時にはリリースライナ１２をはがし、接着面１１を出して扉２の周辺または扉枠４にはる。本発明膨張体１に加熱で膨張したあと２００℃で炭化するので扉の隙間は完全に密閉され固着される。
この熱膨張部１は、図に示すように扉２の外周のすきまをふさぐように取り付けられている。火災が発生すると、その熱により熱膨張部１は約２倍に膨張１３する。膨張することにより、扉２と扉枠４は密着する。この結果、火炎は扉２から外には漏れ出さなくなる。この結果、扉２は類焼防止の機能を果たすことになる。
【００１０】
本発明は火災発生時には、火炎による熱のため熱せられて、熱膨張部１が膨張１３し、隙間Ａ，Ｂを完全に密閉する。この結果、防火扉２は火炎や煙が漏れ出さなくなり、防火機能が完璧に維持されることになる。なお、本発明は火炎のみならず、他の流体、例えばガス等に対しても適用することができる。
【００１１】
図４は本発明の実施例１の横断面を示す図である。この実施例は、防火扉２の周辺にぐるりと熱膨張テープ１をはり付けたものである。火災の熱７により１は
１３の如く膨張し防火扉２と扉枠４の間を密閉するので火炎又はガスは外に出ることができない。
【００１２】
図５は本発明の実施例２の横断面を示す図である。この実施例は、扉枠４に熱膨張部テープ１をはり付けたものである。火災の熱により膨張部１が膨張し防火扉２を扉枠４の間が密閉され、火炎又はガスは外に出ることができないし類焼しない。
【００１３】
図６は本発明第３の実施例の立面図を示している。防火シャッタについても、本願発明を適用することができる。図において、３６は縦引きシャッタ、３５は縦引きシャッターガイド、１は熱膨張層３７は凸凹の地面である。シャッタ３６の下端部とシャッターガイド３５の内側に熱膨張テープ１がはられており、災害発生時には熱により熱膨張部１が膨張し、シャッタ３６の下端とで凸凹の地面３７の間の隙間３８についても遮断され、防火機能を発揮する。
【００１４】
図７は本発明第４の実施例で図６の横断面図でもある。防火シャッター３６の両サイドのシャッターガイド３５の内側に図８の本発明第５の実施例の本発明膨張両面テープのリ
リースライナ１２をはがして接着剤１１を露出してはり、反対側のリリースライナ１７をはがして接着剤１５を露出して、この上に鉄製又はポリエチレン又はテフロン製等テープ１６をはる。但し、予め１６を１５にはった後、１１をシャッターガイド３５の内側にはり、シャッター３６を通してもよい。
【００１５】
図９は本発明の実施例６を示す図である。熱膨張部４０，４１の間にはよろい戸４２が取り付けられている。４３は熱膨張部４０と扉４２間に存在する隙間、４４は熱膨張部４１と扉４２間に存在する隙間である。
【００１６】
通常時には熱膨張部４０，４２間の隙間４３，４４はそのままで、よろい戸４２が開閉出来る。ここで、建物内で火災が発生すると、よろい戸４２が自動的に閉り（図示せず）火炎が熱膨張層４０，４１を加熱し、熱膨張部４０，４１は膨張して隙間４３と４４を埋める。この結果遮断され、煙や火炎は漏れ出さない。
【００１７】
図１０は本発明の実施例７を示す図であり、窓に本発明を適用したものである。４５はサッシ、４６は該サッシ４５内に充填された膨張材、４７はサッシ４５で囲まれた耐火ガラスである。固定サッシのほか開閉サッシの場合、スライドするサッシ間のすきまに膨張テープをはるのが本発明実施例８である。
通常状態では、建物内と外部には僅かに空気が通じている。ここで、建物内で火災が発生すると熱が膨張材４６に伝わり、膨張し炭化して耐火ガラス４７を固定し、煙や火炎は漏れ出さないので類焼を防止する。
【００１８】
図１１は本発明の実施例９で本発明換気口ユニットである。消防署の統計によれば、隣家への類焼は換気口から吹き出す炎が隣家に飛び火する例が非常に多いという。図１１は本発明換気口を示し、フレーム５０に複数の格子５１をはめ、椅子５１には夫々本発明膨張テープ５２をはり、フレーム５０にも膨張材５３をはり膨張材５３と次の格子５１の間をスリット５４として空気を流通させる。
火災が発生すると、本発明膨張材５３が熱のために膨張して格子５１と格子５１の間の隙間５２を閉じて、火が出る事を遮断し、類焼を防止する。
図１２は本発明実施例１０、横引きシャッター３４である。上下のガイドには膨張材３２、３３を設け、縦のすきまにも膨張材を設けたものである。
公知の換気口は機械的にフタを閉めるものであるが動作がにぶく、火災に追いつかず効果がなく、しかも高価である。本発明換気口は火災発生と共に瞬時に反応して閉じ、且つ炭化し、しかも安価であり、軽量であり建物に負担をかける。
【産業上の利用可能性】
【００１９】
本発明によれば、火災の拡大や類焼を防止することができ、しかも構成が簡単でローコスト且つ軽量なので普及するに適している。
【符号の説明】
【００２０】
１    本発明熱膨張炭化部
２    防火扉
３    扉ヒンジ
４    扉枠
５    火炎時の上からの火
６    同上下からの火
７    火災の熱
１１  耐熱性感圧性接着剤
１２  同上をカバーするリリースライナー
１３  火災の熱により膨張した熱膨張部
１４  本発明第５実施例の熱膨張炭化テープ両面接着テープの断面図
１５  スライドテープ１６をはりつける感圧性接着剤
１６  熱膨張材１１にはりつける鉄、ポリエチ、テフロン製等のシャッタースライドテープ
３１  横引シャッタ縦すきま熱膨張部
３２  横引シャッタ下スライド部熱膨張部
３３  横引シャッタ上スライド部熱膨張部
３４  横引シャッタ
３５  縦引防火シャッタ移動ガイド
３６  縦引防火シャッタ
３７  地面の凸凹
３８  地面の凸凹とシャッタ下端の熱膨張部との間に出来た隙間
４０  左縦熱膨張部
４１  右縦熱膨張部
４２  よろい戸
４３  よろい戸の隙間
４４  同上
４５  耐火ガラスサッシ
４６  耐火ガラスとサッシの間に設けた熱膨張部
４７  耐火ガラス
５０  本発明実施例１０の換気口ユニット
５１  格子
５２  格子に設けた熱膨張部
５３  換気口フレームに設けた熱膨張部
５４  換気口フレーム５０と格子５１の熱膨張部との間のすき間
５５  格子５１と格子に設けた熱膨張部との間のすき間
【図１】
2019206911.tif 000003
【図２】
2019206911.tif 000004
【図３】
2019206911.tif 000005
【図４】
2019206911.tif 000006
【図５】
2019206911.tif 000007
【図６】
2019206911.tif 000008
【図７】
2019206911.tif 000009
【図８】
2019206911.tif 000010
【図９】
2019206911.tif 000011
【図１０】
2019206911.tif 000012
【図１１】
2019206911.tif 000013
【図１２】
2019206911.tif 000014